(57)【要約】【課題】化粧材を下地に強固に取り付けることができると共に、その取り外しを容易に行うことができる化粧材取付具を提供する。【解決手段】化粧材２０を下地３０に取り付けるために用いられる化粧材取付具１０は、下地３０に固定される固定部１１と、固定部１１に一体に設けられ、化粧材２０に対してその前方及び下方への移動を規制するように係合する第１係合部１３と、弾性を有する材料からなり、固定部１１に一体に設けられていると共に化粧材取付側に斜め下方に延びるように形成され、化粧材２０に対して上方への移動を規制するように当接係合する第２係合部１４と、を備える。【選択図】図８
2004251074.tif 000002
【特許請求の範囲】
【請求項１】
化粧材を下地に取り付けるために用いられる化粧材取付具であって、
下地に固定される固定部と、
上記固定部に一体に設けられ、化粧材に対してその前方及びそれに垂直な一の方向への移動を規制するように係合する第１係合部と、
弾性を有する材料からなり、上記固定部に一体に設けられていると共に上記一の方向の化粧材取付側に斜めに延びるように形成され、化粧材に対して該一の方向とは反対の他の方向への移動を規制するように当接係合する第２係合部と、を備えている、ことを特徴とする化粧材取付具。
【請求項２】
請求項１に記載された化粧材取付具において、
上記第２係合部は、上記化粧材取付側とは反対側に延びるように折り返されたときにその状態を弾性保持できるように構成されている、ことを特徴とする化粧材取付具。
【請求項３】
請求項１に記載された化粧材取付具において、
金属板に対して切断加工及び折り曲げ加工のみが施されて形成されている、ことを特徴とする化粧材取付具。
【請求項４】
化粧材が化粧材取付具を介して下地に取り付けられた化粧材取付構造であって、
上記化粧材取付具は、固定部と、該固定部に一体に設けられた第１及び第２係合部と、を有し、
上記固定部は、上記下地に固定されていると共に、
上記第１係合部は、上記化粧材にその前方及びそれに垂直な一の方向への移動を規制するように係合し、
且つ、上記第２係合部は、弾性を有する材料からなり、上記一の方向と反対の他の方向の化粧材取付側に斜めに延びるように形成されて上記化粧材に該他の方向への移動を規制するように当接係合している、ことを特徴とする化粧材取付構造。
【発明の詳細な説明】
【０００１】
【発明の属する技術分野】
本発明は、化粧材を下地に取り付けるために用いられる化粧材取付具及びそれを用いた化粧材取付構造に関する。
【０００２】
【従来の技術】
建築物の外壁、破風等の美観を向上させるために化粧材が用いられる。近年、かかる化粧材の取付は、ビスや釘で直接化粧材を下地に打ち付けて取り付ける工法から、下地に化粧材取付具を装着してその化粧材取付具を介して化粧材を取り付ける工法に移行してきている。
【０００３】
特許文献１には、外壁の表面に、上下２段の嵌合溝部を有する取付金具を横方向に間隔をおいてビス止めし、これら取付金具に架け渡すようにして、化粧パネルを取り付ける場合において、化粧パネルの裏面に、嵌合溝部に嵌め込まれる嵌合凸部を上下２段形成し、これら嵌合凸部を嵌合溝部内に上から押し込んで嵌め込み、嵌合凸部を、上方に向かうにしたがって厚さが小さくなる断面テーパ状とする構成が開示されている。そして、それによれば、嵌合溝部内に押し込む際に、前後面のうちの一方の下端縁が嵌合溝部の内面に線接触することにより、抵抗が少なくなって嵌め込みやすく、また、上下方向の調整も可能である、と記載されている。
【０００４】
特許文献２には、躯体の表面に固定される取り付け金具本体に、複数の嵌合部を形成すると共に、取り付け金具本体から外方側へ屈曲された連結部と、連結部からそれぞれ一方へ取り付け金具本体に沿って延ばされた係止片部とから嵌合部を構成し、躯体に取り付けた取り付け金具の嵌合部を、内面側に形成された溝部内に配置させた状態にて外装材を移動させ、外装材の溝部の側壁に形成された突条部を、取り付け金具本体と係止片部との間へ嵌合させて挟持させることにより保持させる構成が開示されている。そして、それによれば、建築物の躯体へ外装材を容易にかつ低コストにて取り付けることができる、と記載されている。
【０００５】
特許文献３には、取付金具には、一対の係止部が突設されており、係止部の先端の折曲部分が板バネ状の係止爪とされており、係止爪が取付金具の各係止部のそれぞれに二個互いに異なる折曲角度で形成され、一方の係止部と他方の係止部との対応する位置にある係止爪同士の折曲角度が異なっており、取付金具の係止爪に建築用化粧材の被係止部を係止爪のバネの復元力により係止させる構成が開示されている。そして、それによれば、建築用化粧材を保持する力が強く、建設用化粧材の脱落を確実に防止でき、また建築用化粧材のがたつき、位置ずれを確実に防止できる、と記載されている。
【０００６】
特許文献４には、化粧板が下地に対し施工金具を介して取り付けられるが、施工金具は、下地に固定する本体部と、その本体部の表側面から前方上方へ突出し化粧板を支承するための支承片と、化粧板における係止凹部を係止するように下方へ突出した係止爪片とを有している一方、化粧板は、支承片を嵌入するための嵌入凹部と、係止爪片に係止されるための係止凹部とを有しており、係止凹部が係止爪片に係止されることによって化粧板の上方への抜け出しが防止された構成が開示されている。そして、これによれば、施工が容易であり、外力に対して高い施工強度を有する化粧板の施工構造となる、と記載されている。
【０００７】
特許文献５には、化粧材を取付金具を用いて建物躯体に取付ける化粧材の取付構造であって、取付金具は、上方に向けて開口部を有する第１受部と、この第１受部の内部に設けられ、建物躯体側に延びる舌状片とを備え、化粧材は、第１受部に上方から挿入され下方に延びる第１垂下部と、第１垂下部において建物躯体とは反対側に設けられる突出部とを備え、第１受部に化粧材の第１垂下部が挿入されることにより、突出部が舌状片を乗越え、取付金具に化粧材が固定されたものが開示されている。そして、これによれば、化粧材の取付金具への取りつけ後、取付金具から化粧材が外れることがない容易な取付け形状を有する化粧材の取付構造が得られる、と記載されている。
【０００８】
特許文献６には、取付具の基本構成をアルミ部材から形成し、弾性変形するステンレス部材からなる弾性部を用いて係合凹部を形成した構成が開示されている。そして、それによれば、化粧材の取付具への固定に際し、弾性力を利用した固定構造と、ビスを用いた固定構造との両固定構造を実現可能となる、と記載されている。
【０００９】
【特許文献１】
特開平１０−２５２２４１号公報
【特許文献２】
特開２０００−１９９３２５号公報
【特許文献３】
特開２０００−３３６８９３号公報
【特許文献４】
特開２００１−２２７１３５号公報
【特許文献５】
特開２００２−１３２８６号公報
【特許文献６】
特開２００２−８９０２７号公報
【００１０】
【発明が解決しようとする課題】
ところで、化粧材を下地に取り付けても、施工状態が思わしくない場合等には、一旦、化粧材を下地から取り外す必要が生じることがある。しかしながら、従来の化粧材取付具では、化粧材を下地に強固に取り付けることについては考慮されているものの、化粧材を取り外すことについては考慮されておらず、むしろ化粧材を取り外すのが困難である。
【００１１】
本発明は、かかる点に鑑みてなされたものであり、その目的とするところは、化粧材を下地に強固に取り付けることができると共に、その取り外しを容易に行うことができる化粧材取付具を提供することにある。
【００１２】
【課題を解決するための手段】
上記目的を達成する本発明は、化粧材を下地に取り付けるために用いられる化粧材取付具であって、
下地に固定される固定部と、
上記固定部に一体に設けられ、化粧材に対してその前方及びそれに垂直な一の方向への移動を規制するように係合する第１係合部と、
弾性を有する材料からなり、上記固定部に一体に設けられていると共に上記一の方向の化粧材取付側に斜めに延びるように形成され、化粧材に対して該一の方向とは反対の他の方向への移動を規制するように当接係合する第２係合部と、を備えている、ことを特徴とする。
【００１３】
上記の構成によれば、固定部を下地に固定すると共に第１及び第２係合部を化粧材に係合させることによって化粧材を下地に強固に取り付けることができる。その一方、第２係合部が一の方向の化粧材取付側に斜めに延びるように形成されて化粧材に当接係合するように構成されているので、その第２係合部を弾性変形させて化粧材への当接係合を外すだけで化粧材を容易に取り外すことができる。
【００１４】
本発明の化粧材取付具を用いて化粧材が下地に取り付けられて構成される化粧材取付構造は、
上記化粧材取付具が、固定部と、該固定部に一体に設けられた第１及び第２係合部と、を有し、
上記固定部が、上記下地に固定されていると共に、
上記第１係合部が、上記化粧材にその前方及びそれに垂直な一の方向への移動を規制するように係合し、
且つ、上記第２係合部が、弾性を有する材料からなり、上記一の方向の化粧材取付側に斜めに延びるように形成されて上記化粧材に該一の方向と反対の他の方向への移動を規制するように係合している、
ものとなる。
【００１５】
本発明の化粧材取付具は、上記第２係合部が、上記化粧材取付側とは反対側に延びるように折り返されたときにその状態を弾性保持できるように構成されているものであってもよい。
【００１６】
上記の構成によれば、第１及び第２係合部のそれぞれの化粧材への係合を別々に行うことができるので、特に精度の高い化粧材の取付を行わなければならない場合に好適である。
【００１７】
本発明の化粧材取付具は、金属板に対して切断加工及び折り曲げ加工のみが施されて形成されたものであってもよい。
【００１８】
樹脂成形品の化粧材取付具では大量生産には好適であるが化粧材の種類に応じた成形が困難であり、また、金属材を溶接した化粧材取付具では化粧材の種類に応じた成形には好適であるが生産性が低い。しかしながら、上記の構成によれば、金属板に切断加工及び折り曲げ加工のみ施して形成された化粧材取付具であり、種々の形状のものを容易に成形することができるので、化粧材の種類に応じたものを効率的に製造することが可能となる。ここで、切削加工とは、切断する加工だけでなく、穿孔する加工も含む。
【００１９】
【発明の実施の形態】
以下、本発明の実施形態を図面に基づいて詳細に説明する。
【００２０】
（実施形態１）
図１は、本発明の実施形態１に係る化粧材取付具１０を示す。図２は、この化粧材取付具１０を用いて下地３０に化粧材２０を取り付けた化粧材取付構造を示す。
【００２１】
この化粧材取付具１０は、土台プレート（固定部）１１と、土台プレート１１の上端部に設けられた上側係合部（第１係合部）１２と、土台プレート１１の下端部に設けられた下側係合部（第２係合部）１４と、を備えている。
【００２２】
土台プレート１１は、例えば厚み０．８〜１．５ｍｍ程度のステンレス板や鋼板からなり、横長の略長方形に形成されている。
【００２３】
上側係合部１２は、例えば厚み０．８〜１．２ｍｍ程度のステンレス板や鋼板からなり、断面略「コ」の字状に形成されている。この上側係合部１２は、断面「コ」の字の開口を上にしたときの一方の側面が土台プレート１１の上端部に横方向に沿って重ね合わされ、左右２箇所のかしめ部１２ａでかしめ留めにより土台プレート１１に固定されている。その一方の側面の中央及びそれに対応した土台プレート１１には、下地３０への取付用のビス４０を挿通するためのビス穴１１ａが形成されている。上側係合部１２の他方の側面は、横方向の中央部分に略矩形状の欠損部を有し、また、縦方向の中央部分で屈曲してやや外向きに開口するように形成されている。
【００２４】
下側係合部１４は、例えば厚み０．３〜０．８ｍｍ程度のステンレス板などの弾性を有する材料からなり、略長方形状板が長辺方向に断面「へ」の字状に屈曲形成されている。この下側係合部１４は、その断面「へ」の字の短片側が土台プレート１１の下端部中央に重ね合わされ、かしめ部１４ａでかしめ留めにより土台プレート１１に固定されている。そして、これにより、下側係合部１４の断面「へ」の字の長片側が土台プレート１１から化粧材取付側斜め下方向に延びたものとなっている。
【００２５】
次に、この化粧材取付具１０を用いた化粧材２０の取付方法及び取り外し方法について説明する。
【００２６】
ここで、化粧材２０は、ケイ酸カルシウム等の水硬化性材料等を長尺に押出成形して形成されたものである。この化粧材２０は、裏面に化粧材取付具１０の取付のための裏面側凹部２５が長手方向に沿って延びるように形成されている。この裏面側凹部２５は、上側壁が下方に垂下した垂下突起２５ａに形成されていると共に、下側壁が表側から裏側に行くに従って斜め下方に傾斜して延びた傾斜面２５ｂに形成されている。
【００２７】
化粧材２０を下地３０に取り付けるときには、まず、化粧材取付具１０を下地３０表面に横方向に間隔をあけて複数装着固定する。このとき、化粧材取付具１０の装着固定は、ビス穴１１ａにビス４０を挿通させて下地３０にねじ込み、ビス穴１１ａにビス４０の頭部を係合させることにより行う。
【００２８】
次いで、図３に示すように、化粧材２０の裏面側凹部２５の上側壁の垂下突起２５ａを化粧材取付具１０の上側係合部１２に上方から挿入するようにして上側係合部１２をその裏面側凹部２５の上側壁の垂下突起２５ａに係合させる。このとき同時に、化粧材取付側斜め下方向に延びた化粧材取付具１０の下側係合部１４が化粧材２０の裏面側凹部２５の下側壁の傾斜面２５ｂに当接係合する。なお、必要に応じて、上側係合部１２の内側に弾性接着剤を付着させてもよい。また、下側係合部１４を下側から上向きに押圧して係合の補助を行ってもよい。ここで、図４（ａ）に示すように、下側係合部１４の斜め下方に延びる部分の長さがａに設定されていても、実寸法がそれよりも長くなったり、短くなったりすることがあり、また、化粧材２０にも寸法誤差が生じる場合もある。しかしながら、図４（ｂ）に示すように、下側係合部１４の斜め下方に延びる部分の基端部から傾斜面２５ａの上端までの長さがａより短いｂとされ、傾斜面２５ａの下端までの長さがａより長いｃとされており、上記のような寸法誤差が吸収され、下側係合部１４が必ず傾斜面２５ａに当接係合する。
【００２９】
以上によって、化粧材取付具１０の上側係合部１２が化粧材２０の上側壁の垂下突起２５ａに係合して化粧材２０の前方及び下方（一の方向）への移動が規制されると共に、化粧材取付具１０の下側係合部１４が化粧材２０の下側壁の傾斜面２５ｂに当接係合して化粧材２０の上方（他の方向）への移動が規制され、下地３０への化粧材２０の取付が完了する。
【００３０】
また、下地３０からの化粧材２０を取り外すときには、まず、図５（ａ）及び（ｂ）に示すようなＬ字板状の板材を捻って形成した化粧材取り外し治具５０の長辺部を持ち、図６（ａ）に示すように、化粧材取付具１０の設けられたの位置の側方の下側からその化粧材取り外し治具５０を、その短辺部の先端が化粧材取付具１０側となるように化粧材２０と下地３０との隙間に挿入する。
【００３１】
次いで、図６（ｂ）に示すように、化粧材取り外し治具５０を化粧材取付具１０側に移動させて短辺部を化粧材取付具１０の下側係合部１４の上方に位置付ける。
【００３２】
次いで、図６（ｃ）に示すように、化粧材取り外し治具５０を下方に引くことにより化粧材取付具１０の下側係合部１４の化粧材２０の下側壁の傾斜面２５ｂへの当接係合を外す。このとき、化粧材２０の上方への移動の規制が解除される。
【００３３】
次いで、化粧材２０を上方に移動させることにより、上側係合部１２の化粧材２０に対する係合も外し、下地３０からの化粧材２０の取り外しが完了する。
【００３４】
上記構成の化粧材取付具１０によれば、土台プレート１１を下地３０に固定すると共に上側及び下側係合部１２，１４をそれぞれ化粧材２０の上側壁の垂下突起２５ａ及び下側壁の傾斜面２５ｂに係合させることによって化粧材２０を下地３０に強固に取り付けることができる。その一方、下側係合部１４が下方の化粧材取付側に斜めに延びるように形成されて化粧材２０の下側壁の傾斜面２５ｂに当接係合するように構成されているので、その下側係合部１４を弾性変形させて化粧材２０へのその当接係合を外すだけで化粧材２０を容易に取り外すことができる。
【００３５】
（実施形態２）
図７は、本発明の実施形態２に係る化粧材取付具１０を示す。なお、実施形態１のものと同一名称の部分は同一符号で示す。
【００３６】
この化粧材取付具１０は、土台プレート１１が縦長の長方形に形成されており、下側係合部１４のやや上方に上側係合部１２と同一構成の中央係合部（第１係合部）１３が左右２箇所のかしめ部１３ａでかしめ留めにより土台プレート１１に固定されている。上側及び下側係合部１２，１４その他の構成は、実施形態１と同一である。
【００３７】
この化粧材取付具１０は、実施形態１のものよりも幅広の化粧材であって、裏面側に上側係合部１２及び中央係合部１３がそれぞれ係合する垂下突起が形成されていると共に、下側係合部１４が当接係合する傾斜面を有するものの取付に使用することができるものである。
【００３８】
化粧材２０の取付方法及び取り外し方法、並びに、作用及び効果は実施形態１と同一である。
【００３９】
（実施形態３）
図８は、本発明の実施形態３に係る化粧材取付具１０を示す。図９は、この化粧材取付具１０を用いて下地３０に化粧材２０を取り付けた化粧材取付構造を示す。なお、実施形態１のものと同一名称の部分は同一符号で示す。
【００４０】
この化粧材取付具１０は、実施形態２のものと同タイプのものであり、土台プレート１１に上側、中央及び下側係合部１２，１３，１４が設けられたものである。
【００４１】
土台プレート１１は、例えば厚み０．８〜１．５ｍｍ程度のステンレス板や鋼板からなり、縦長の略長方形に形成されている。
【００４２】
上側係合部１２は、土台プレート１１の上辺側から矩形に切り出された舌片によって構成されており、前方に略水平に延びた後に略垂直に上方に立ち上がるように延びた断面略Ｌ字状に形成されている。
【００４３】
中央係合部１３は、土台プレート１１の中央から下側を基端として矩形に切り出された舌片によって構成されており、前方に略水平に延びた後に略垂直に上方に立ち上がるように延びた断面略Ｌ字状に形成されている。
【００４４】
下側係合部１４は、例えば厚み０．３〜０．８ｍｍ程度のステンレス板などの弾性を有する材料からなり、略長方形状板が長辺方向に断面「へ」の字状に屈曲形成されている。この下側係合部１４は、その断面「へ」の字の短片側が土台プレート１１の下端部中央に重ね合わされ、溶接により土台プレート１１に固定されている。そして、これにより、下側係合部１４の断面「へ」の字の長片側が土台プレート１１から化粧材取付側斜め下方向に延びたものとなっている。
【００４５】
土台プレート１１の上側係合部１２と中央係合部１３との間には、下地３０への取付用のビス４０を挿通するためのビス穴１１ａが形成されている。また、土台プレート１１の左右両辺の略中央には、略三角形状の欠損で構成された位置決め標１１ｂが形成されている。
【００４６】
次に、この化粧材取付具１０を用いた化粧材２０の取付方法について説明する。
【００４７】
ここで、化粧材２０は、ケイ酸カルシウム等の水硬化性材料等を長尺に押出成形して形成されたものである。この化粧材２０は、裏面に化粧材取付具１０の上側係合部１２及び中央係合部１３に対応するように長手方向に延びる上側及び中央係合凹部２２，２３がそれぞれ形成されている。これらの上側及び中央係合凹部２２，２３は、それぞれ凹部上側壁が下方に垂下した突起となっており、凹部形状が断面略Ｌ字状に形成されている。また、この化粧材２０は、裏側の中央凹部の下方に表側から裏側に行くに従って斜め下方に傾斜して延びた傾斜面２４ａを有する下側係合凹部２４が形成されている。
【００４８】
また、下地３０は、横方向に延び且つ並列に設けられた複数の長尺の下地材３１により構成されたものである。
【００４９】
化粧材２０を下地３０に取り付けるときには、まず、化粧材取付具１０を下地３０に横方向に間隔をあけて複数装着固定する。この化粧材取付具１０の装着固定は、位置決め標１１ｂを下地３０に標したラインに合わせて化粧材取付具１０を所定箇所に配置した後、ビス穴１１ａにビス４０を挿通させて下地３０にねじ込み、ビス穴１１ａにビス４０の頭部を係合させることにより行う。
【００５０】
次いで、化粧材２０の上側係合凹部２２の垂下突起２２ａを化粧材取付具１０の上側係合部１２に上方から挿入するようにして上側係合部１２をその上側係合凹部２２の垂下突起２２ａに係合させる。それと同時に、化粧材２０の中央係合凹部２３の垂下突起２３ａを化粧材取付具１０の中央係合部１３に上方から挿入するようにして中央係合部１３をその中央係合凹部２３の垂下突起２３ａに係合させる。このとき同時に、化粧材取付側斜め下方向に延びた化粧材取付具１０の下側係合部１４が化粧材２０の裏面側凹部２５の下側壁の傾斜面２４ａに当接係合する。なお、必要に応じて、上側及び中央係合部１２，１３の内側に弾性接着剤を付着させてもよい。また、下側係合部１４を下側から上向きに押圧して係合の補助を行ってもよい。
【００５１】
次いで、化粧材取付具１０の下側係合部１４を下側から上向きに押圧して先端を化粧材２０の下側係合凹部２４の傾斜面２４ａに当接係合させる。
【００５２】
以上によって、化粧材取付具１０の上側及び中央係合部１２，１３が化粧材２０の上側及び中央係合凹部２２，２３の垂下突起２２ａ，２３ａにそれぞれ係合して化粧材２０の下方及び前方への移動が規制されると共に、化粧材取付具１０の下側係合部１４が化粧材２０の下側係合凹部２４の傾斜面２４ａに係合して化粧材２０の上方への移動が規制され、下地３０への化粧材２０の取付が完了する。
【００５３】
化粧材２０の取り外し方法、並びに、作用及び効果は実施形態１と同一である。
【００５４】
（実施形態４）
図１１は、本発明の実施形態４に係る化粧材取付具１０を示す。なお、実施形態１のものと同一名称の部分は同一符号で示す。
【００５５】
この化粧材取付具１０は、下側係合部１４が土台プレート１１の下辺中央から化粧材取付側斜め下方向に延びた略矩形の舌片により構成されており、その他の構成が実施形態３のものと同一のものである。つまり、この化粧材取付具１０は、金属板に対して切断加工及び折り曲げ加工のみが施されて形成されたものである。
【００５６】
化粧材２０の取付方法は実施形態３と同一であり、その取り外し方法は実施形態１と同一である。
【００５７】
上記構成の化粧材取付具１０によれば、金属板に対して切断加工及び折り曲げ加工のみが施されて製造された化粧材取付具１０であり、種々の形状のものを容易に成形することができるので、化粧材２０の種類に応じたものを効率的に製造することが可能となる。
【００５８】
その他の作用及び効果は実施形態１と同一である。
【００５９】
（実施形態５）
図１２及び１３は、本発明の実施形態５に係る化粧材取付具１０を示す。図１４は、この化粧材取付具１０を用いて下地３０に化粧材２０を取り付けた化粧材取付構造を示す。なお、実施形態１のものと同一名称の部分は同一符号で示す。
【００６０】
この化粧材取付具１０は、土台プレート（固定部）１１と、土台プレート１１の上端部に設けられた上側及び中央係合部（第１係合部）１２と、中央係合部前面に設けられた下側係合部（第２係合部）１４と、を備えている。
【００６１】
土台プレート１１は、例えば厚み０．８〜１．５ｍｍ程度のステンレス板や鋼板からなり、縦長の略長方形に形成されている。
【００６２】
上側係合部１２は、土台プレート１１の上側半分から矩形に切り出された舌片によって構成されており、前方に略水平に延びた後に略垂直に上方に立ち上がるように延びた断面略Ｌ字状に形成されている。
【００６３】
中央係合部１３は、土台プレート１１の下側部分から矩形に切り出された舌片によって構成されており、前方に略水平に延びた後に略垂直に上方に立ち上がるように延びた断面略Ｌ字状に形成されている。
【００６４】
下側係合部１４は、例えば厚み０．３〜０．８ｍｍ程度のステンレス板などの弾性を有する材料からなり、正面視で略楕円形の細長い環状で且つ側面視で弓形に形成されている。そして、この下側係合部１４は、その長手方向の一端が中央係合部１３の前面中央に固定されており、これにより、土台プレート１１から化粧材取付側斜め下方向に延びたものとなっている。また、この下側係合部１４は、図１５に示すように、化粧材取付側とは反対側に延びるように折り返されたときにその状態を弾性保持できる、つまり、折り曲げて可逆的に形状保持できる横断面弓形のヘアピンのように構成されている。
【００６５】
次に、この化粧材取付具１０を用いた化粧材２０の取付方法について説明する。
【００６６】
ここで、化粧材２０は、ケイ酸カルシウム等の水硬化性材料等を長尺に押出成形して形成されたものである。この化粧材２０は、裏面に化粧材取付具１０の上側係合部１２及び中央係合部１３に対応するように長手方向に延びる上側及び中央係合凹部２２，２３がそれぞれ形成されている。これらの上側及び中央係合凹部２２，２３は、それぞれ凹部上側壁が下方に垂下した突起となっており、凹部形状が断面略Ｌ字状に形成されている。また、この化粧材２０の中央係合凹部２３の下側壁は表側から裏側に行くに従って斜め下方に傾斜して延びた傾斜面２４ａに形成されている。下地３０は、合板３２間に水切り３３が設けられた構成のものである。
【００６７】
この化粧材取付具１０を用いた化粧材２０の取付においては、化粧材取付具１０を下地３０の水切り３３の前方位置に装着した後、化粧材２０を取り付ける前に、下側係合部１４を化粧材取付側とは反対側（下地側）に折り返してその状態を弾性保持させる。
【００６８】
次いで、化粧材２０の上側係合凹部２２の垂下突起２２ａを化粧材取付具１０の上側係合部１２に上方から挿入するようにして上側係合部１２をその上側係合凹部２２の垂下突起２２ａに係合させる。このとき、下側係合部１４が同時に化粧材２０に係合しないことから、化粧材２０の高精度な位置調整を図ることができる。
【００６９】
次いで、下側係合部１４を化粧材取付側に弾性復帰させることにより、下側係合部１４が化粧材取付側斜め下方向に延びた状態となり、化粧材２０の裏面側凹部２５の下側壁の傾斜面２４ａに当接係合させる。
【００７０】
以上によって、化粧材取付具１０の上側及び中央係合部１２，１３が化粧材２０の上側及び中央係合凹部２２，２３の垂下突起２２ａ，２３ａにそれぞれ係合して化粧材２０の下方及び前方への移動が規制されると共に、化粧材取付具１０の下側係合部１４が化粧材２０の下側係合凹部２４の傾斜面２４ａに係合して化粧材２０の上方への移動が規制され、下地３０への化粧材２０の取付が完了する。なお、この化粧材取付構造では、化粧材の上側及び下側にそれぞれサイディング３４が設けられており、上側のサイディング３４と化粧材との間には乾式シーリング３５が設けられている。
【００７１】
化粧材２０の取付方法のその他の部分及び取り外し方法は実施形態１と同一である。
【００７２】
上記構成の化粧材取付具１０によれば、上側及び中央係合部１２，１３のそれぞれの化粧材２０への係合と下側係合部１４の化粧材２０への係合とを別々に行うことができるので、特に精度の高い化粧材２０の取付を行わなければならない場合に好適である。
【００７３】
その他の作用及び効果は実施形態１と同一である。
【００７４】
（その他の実施形態）
上記実施形態１〜５では、化粧材取付具１０を横方向に延びるように化粧材２０を取り付けるために用いたが、特にこれに限定されるものではなく、縦方向に延びるように化粧材２０を取り付けるためにも用いることができる。
【００７５】
また、上記実施形態１〜５では、下側係合部１４の先端を直線状に形成したものとしたが、特にこれに限定されるものではなく、ノコギリ歯状に形成して裏面側凹部２５や下側係合凹部２４の傾斜面２４ａ，２５ｂへの摩擦係数を高め、化粧材２０への当接係合をより強固なものになるようにしてもよい。
【００７６】
【発明の効果】
以上説明したように、本発明によれば、固定部を下地に固定すると共に第１及び第２係合部を化粧材に係合させることによって化粧材を下地に強固に取り付けることができる。その一方、その第２係合部を弾性変形させて化粧材への当接係合を外すのみによって化粧材を容易に取り外すことができる。
【図面の簡単な説明】
【図１】実施形態１に係る化粧材取付具の斜視図である。
【図２】実施形態１に係る化粧材取付構造の側面図である。
【図３】実施形態１の化粧材の取付方法を示す説明図である。
【図４】下側係合部の傾斜面への係合を示す説明図である。
【図５】（ａ）は、化粧材取り外し治具の正面図で、（ｂ）は側面図である。
【図６】（ａ）〜（ｃ）は、実施形態１の化粧材の取り外し方法を示す説明図である。
【図７】実施形態２に係る化粧材取付具の斜視図である。
【図８】実施形態３に係る化粧材取付具の斜視図である。
【図９】実施形態３に係る化粧材取付構造の側面図である。
【図１０】実施形態３の化粧材の取付方法を示す説明図である。
【図１１】実施形態４に係る化粧材取付具の斜視図である。
【図１２】実施形態５に係る化粧材取付具の正面図である。
【図１３】実施形態５に係る化粧材取付具の斜視図である。
【図１４】実施形態５に係る化粧材取付構造の側面図である。
【図１５】下側係合部の構成を示す説明図である。
【符号の説明】
１０  化粧材取付具
１１  土台プレート（固定部）
１１ａ  ビス穴
１１ｂ  位置決め標
１２  上側係合部（第１係合部）
１２ａ  かしめ部
１３  中央係合部（第１係合部）
１３ａ  かしめ部
１４  下側係合部（第２係合部）
１４ａ  かしめ部
２０  化粧材
２２  上側係合凹部
２２ａ  垂下突起
２３  中央係合凹部
２３ａ  垂下突起
２４  下側係合凹部
２４ａ  傾斜面
２５  裏面側凹部
２５ａ  垂下突起
２５ｂ  傾斜面
３０  下地
３１  下地材
３２  合板
３３  水切り
３４  サイディング
３５  乾式シーリング
４０  ビス
５０  化粧材取り外し治具
【図１】
2004251074.tif 000003
【図２】
2004251074.tif 000004
【図３】
2004251074.tif 000005
【図４】
2004251074.tif 000006
【図５】
2004251074.tif 000007
【図６】
2004251074.tif 000008
【図７】
2004251074.tif 000009
【図８】
2004251074.tif 000010
【図９】
2004251074.tif 000011
【図１０】
2004251074.tif 000012
【図１１】
2004251074.tif 000013
【図１２】
2004251074.tif 000014
【図１３】
2004251074.tif 000015
【図１４】
2004251074.tif 000016
【図１５】
2004251074.tif 000017